(57)【要約】【課題】装置の小型化を図るとともに、球送り部材の高速回転によって短時間での遊技球の払い出しを行う場合でも円滑に遊技球を払い出すことが可能な弾球遊技機の球払出装置を提供する。【解決手段】本発明に係る球払出装置は、上端の受容口５２から流入した遊技球を下端の払出口５３へ案内して流下させる案内通路５５が形成されたハウジング部材５１と、ハウジング部材５１における案内通路５５の中間位置に回転可能に設けられ、前記回転により受容口５２から流入した遊技球を払出口５３側へ送り出す球送り部材６０と、球送り部材６０を回転駆動する球払出モータとを備え、案内通路５５は、前記中間位置において球送り部材６０への遊技球の導入方向が球送り部材６０の回転接線方向に沿うように鉛直方向に対して斜めに形成されていることを特徴とする。【選択図】図７
2012011053.tif 000002
【特許請求の範囲】
【請求項１】
上端の受容口から流入した遊技球を下端の払出口へ案内して流下させる案内通路が形成されたハウジング部材と、
前記ハウジング部材における前記案内通路の中間位置に回転可能に設けられ、前記回転により前記受容口から流入した遊技球を前記払出口側へ送り出す球送り部材と、
前記球送り部材を回転駆動する球払出モータとを備え、
前記案内通路は、前記中間位置において前記球送り部材への遊技球の導入方向が前記球送り部材の回転接線方向に沿うように鉛直方向に対して斜めに形成されていることを特徴とする弾球遊技機の球払出装置。
【請求項２】
前記案内通路の通路壁には、前記球送り部材を設けるための切欠き部が形成されており、前記切欠き部の一部に相当する壁面形状を有する案内リブが、前記球送り部材の回転を妨げることなく、前記切欠き部の一部を塞ぐように設けられていることを特徴とする請求項１に記載の球払出装置。
【請求項３】
前記案内通路の前記球送り部材よりも上流側の通路壁に形成された球抜き用切欠き部、前記ハウジング部材に揺動可能に設けられて前記球抜き用切欠き部を開閉可能な球抜き部材、前記球抜き部材が前記球抜き用切欠き部を閉鎖する閉鎖位置および前記球抜き用切欠き部を開放する開放位置に前記球抜き部材を変移させるための操作部材、並びに、前記球抜き用切欠き部と前記ハウジング部材下端の球抜き口を繋ぐように前記ハウジング部材に形成された球抜き通路を有する球抜き機構を備え、
前記ハウジング部材は、弾球遊技機の裏面に装着された状態において、前記案内通路および前記払出口が前方側に形成されるとともに、前記球抜き通路および前記球抜き口が後方側に形成されていることを特徴とする請求項１または２に記載の球払出装置。
【発明の詳細な説明】
【技術分野】
【０００１】
本発明は、パチンコ機に代表される弾球遊技機の球払出装置に関する。
【背景技術】
【０００２】
上記のような球払出装置の一例として、パチンコ機に用いられる球払出装置がある（例えば、特許文献１を参照）。パチンコ機は、多数本の遊技釘や風車とともに種々の入賞具が所定のゲージ設定で配設された遊技盤を有しており、球払出装置は遊技盤における入賞状態等に基づいて出力される指令信号を受けて指令信号に応じた数量の遊技球を払い出すようになっている。
【０００３】
このような球払出装置は、一般に、装置の上面に遊技球を受容する受容口と下面に遊技球を払い出す払出口とが設けられるとともに、装置内部に球払出モータとこの球払出モータによって垂直面内で回転駆動される球送り部材とを有し、受容口から受容通路を通って球送り部材に導かれる遊技球を球送り部材の外周に形成された球受容部に受容し、球送り部材が回転されたときにその遊技球を当該回転方向移動させて、移動方向に形成された払出通路に流下させて払出通路下端の払出口から払い出すように構成されている。
【０００４】
球払出装置の作動は、例えば球払出制御基板等の制御装置によって制御され、入賞条件に基づいた回転角度の指令信号が球払出装置に入力され、この指令信号に応じた回転角度分球払出モータを回転作動させて遊技球を払い出すようになっている。球払出モータの回転停止角度位置は、球送り部材の球受容部が受容通路に対峙して球受容部に遊技球を受容した状態で停止するように設定されている。
【先行技術文献】
【特許文献】
【０００５】
【特許文献１】特開２００５‐１２４６９４号公報
【発明の概要】
【発明が解決しようとする課題】
【０００６】
ところで、従来の球払出装置では、球貯留タンクに貯留された遊技球が自重によって球払出装置まで流下して受容口から受容通路を通って球送り部材の球受容部に略真上から導入されるように構成されている。このため、遊技球と接する球払出装置の各部には、上流側に貯留された多数の遊技球の自重に基づく圧力が作用しており、球送り部材や球送り部材を支持する軸受部、球送り部材を回転駆動させるモータ等には、作用する圧力の大きさに応じた強度や回転トルクを備えることが求められる。特に、貯留球が密に繋がった停止状態から球送り部材を回転させる回転起動時には大きな起動トルクが必要であり、これを満たす高トルクモータが必要になるため、球払出モータの大型化や高額化を招き、球払出装置全体が大型化および高額化するという問題があった。
【０００７】
また、遊技球が球送り部材の球受容部に略真上から導入される構成であるため、球送り部材を高速で回転させて短時間での遊技球の払い出しを行おうとすると、球送り部材の球受容部への遊技球の導入が、球送り部材の高速回転に追いつかず、円滑に遊技球を払い出すことが難しいという問題があった。
【０００８】
本発明は、このような事情に鑑みてなされたものであり、装置の小型化を図るとともに、球送り部材の高速回転によって短時間での遊技球の払い出しを行う場合でも円滑に遊技球を払い出すことが可能な球払出装置を提供することを目的とする。
【課題を解決するための手段】
【０００９】
このような目的達成のために、本発明に係る球払出装置は、上端の受容口から流入した遊技球を下端の払出口へ案内して流下させる案内通路が形成されたハウジング部材と、前記ハウジング部材における前記案内通路の中間位置に回転可能に設けられ、前記回転により前記受容口から流入した遊技球を前記払出口側へ送り出す球送り部材と、前記球送り部材を回転駆動する球払出モータとを備え、前記案内通路は、前記中間位置において前記球送り部材への遊技球の導入方向が前記球送り部材の回転接線方向に沿うように鉛直方向に対して斜めに形成されていることを特徴とする。
【００１０】
なお、上記構成の球払出装置において、前記案内通路の通路壁には、前記球送り部材を設けるための切欠き部（例えば、実施形態における切欠き部５７ａ）が形成されており、前記切欠き部の一部に相当する壁面形状を有する案内リブが、前記球送り部材の回転を妨げることなく、前記切欠き部の一部を塞ぐように設けられることが好ましい。
【００１１】
また、上記構成の球払出装置において、前記案内通路の前記球送り部材よりも上流側の通路壁に形成された球抜き用切欠き部（例えば、実施形態における切欠き部５６ｃ）、前記ハウジング部材に揺動可能に設けられて前記球抜き用切欠き部を開閉可能な球抜き部材（例えば、実施形態における通路壁部材７１）、前記球抜き部材が前記球抜き用切欠き部を閉鎖する閉鎖位置および前記球抜き用切欠き部を開放する開放位置に前記球抜き部材を変移させるための操作部材、並びに、前記球抜き用切欠き部と前記ハウジング部材下端の球抜き口を繋ぐように前記ハウジング部材に形成された球抜き通路を有する球抜き機構を備え、前記ハウジング部材は、弾球遊技機の裏面に装着された状態において、前記案内通路および前記払出口が前方側に形成されるとともに、前記球抜き通路および前記球抜き口が後方側に形成されることが好ましい。
【発明の効果】
【００１２】
本発明に係る球払出装置によれば、案内通路が、球送り部材へ遊技球を導入する部分において、球送り部材への遊技球の導入方向が球送り部材の回転接線方向に沿うように鉛直方向に対して斜めに形成されているので、球送り部材等に作用する遊技球の自重に基づく圧力が低減される。このため、最も大きな回転トルクが必要とされる回転起動時の起動トルクを減少させることができ、これにより、従来よりも小型のモータを用いることができ、装置の小型化が可能になる。
【００１３】
また、案内通路が、球送り部材へ遊技球を導入する部分において、球送り部材への遊技球の導入方向が球送り部材の回転接線方向に沿うように鉛直方向に対して斜めに形成されているので、従来のように遊技球が球送り部材に略真上から導入される構成よりも、遊技球を球送り部材へ円滑に導入させることができる。このため、球送り部材を高速で回転させて短時間での遊技球の払い出しを行う場合でも、球送り部材の高速回転に対応して遊技球を球送り部材へ導入させることができ、これにより遊技球を円滑に払い出すことができる。
【００１４】
なお、上記の球払出装置において、案内通路の通路壁に形成された球送り部材を設けるための切欠き部に、この切欠き部の一部に相当する壁面形状を有する案内リブが、球送り部材の回転を妨げることなく、切欠き部の一部を塞ぐように設けられることが好ましい。この案内リブにより、球送り部材によって送り出された遊技球が案内通路の通路壁で跳ね返り通路内で暴れることを防止して、遊技球を円滑に流下させることができる。
【００１５】
また、上記の球払出装置において、ハウジング部材は、弾球遊技機の裏面に装着された状態において、案内通路および払出口が前方側に形成されるとともに、球抜き通路および球抜き口が後方側に形成されることが好ましい。これにより、球抜き機構や球払出装置の弾球遊技機への装着状態に不正な操作を加えたとしても、球抜き通路および球抜き口から排出される遊技球は、弾球遊技機の後方に排出されるだけで、遊技機前面の球皿ユニットの球皿に排出されることはなく、このような不正操作により遊技球が不正に取得されることを防止できる。
【図面の簡単な説明】
【００１６】
【図１】本発明に係る球払出装置を備えたパチンコ機の正面図である。
【図２】上記パチンコ機を構成する裏セット盤の背面図である。
【図３】上記パチンコ機を構成する裏セット盤の平面図である。
【図４】本発明に係る球払出装置を備えたパチンコ機（ただし前枠を除く）の背面斜視図である。
【図５】本発明に係る球払出装置の斜視図である。
【図６】本発明に係る球払出装置の平面図、左側面図および底面図である。
【図７】上記球払出装置を図６の矢印ＶＩＩ‐ＶＩＩに沿って切断して示す断面図である。
【図８】上記球払出装置を図６の矢印ＶＩＩＩ‐ＶＩＩＩに沿って切断して示す断面図である。
【図９】上記裏セット盤を図３の矢印ＩＸ‐ＩＸに沿って切断して示す断面図である。
【図１０】上記裏セット盤を図３の矢印Ｘ‐Ｘに沿って切断して示す断面図である。
【図１１】上記球払出装置を球抜き状態において図６の矢印ＶＩＩ‐ＶＩＩに沿って切断して示す断面図である。
【発明を実施するための形態】
【００１７】
以下、本発明の好ましい実施形態について説明する。まず、本発明に係る球払出装置を備えた弾球遊技機の一例であるパチンコ機ＰＭについて、図１〜図４を参照して説明する。
【００１８】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１９】
前枠２の前面側上部には、前枠２の上部前面域に合わせた方形状のガラス扉５が正面左側部に設けられたヒンジ機構７ａ，７ｂを利用して横開き開閉および着脱可能に組み付けられ、施錠装置４を利用して常には前枠２の前面を覆う閉鎖状態に保持される。ガラス扉５の背後に位置する前枠上部には、遊技盤１０を着脱可能に収容する収容枠（図示せず）が設けられており、この収容枠に遊技盤１０が着脱可能にセット保持され、常には閉鎖保持されるガラス扉５を通して遊技盤１０の正面の遊技領域を臨ませるようになっている。
【００２０】
図２では遊技盤１０の図示を省略するが、遊技盤１０の前面には上下のレール飾りに囲まれて略円形の遊技領域が区画形成され、この遊技領域に多数本の遊技釘とともに風車や各種入賞具、遊技の進行状況に応じて所定の画像が表示される画像表示装置などの遊技構成部品が取り付けられ、遊技領域の下端部に入賞具に入賞せずに落下した遊技球を遊技盤１０の裏面側に排出させるアウト口が設けられている。
【００２１】
前枠２の前面側下部には、前枠2の下部前面領域に合わせた方形状の球皿ユニット６が正面左側部に設けられたヒンジ機構７ｂ，７ｃを利用して横開き開閉および着脱可能に組み付けられ、施錠装置４を利用して常には前枠２の前面を覆う閉鎖状態に保持される。球皿ユニット６の正面右側下部には遊技球の発射操作を行う操作ハンドル８が設けられている。球皿ユニット６に前面側が覆われた前枠２の下部領域には遊技補助盤（図示せず）と称される補助機構部が形成されており、この遊技補助盤の各部に、遊技盤１０の遊技領域に遊技球を発射する打球発射装置（図示せず）や、ファール球回収通路などが設けられている。
【００２２】
前枠２の裏面側には、中央に前後連通する窓口を有して前枠２よりもやや小型の方形枠状に形成された裏セット盤２０が着脱可能にセット保持されている。裏セット盤２０の各部には、遊技球を貯留する球貯留タンク２１、球貯留タンク２１から右方に緩やかな下り傾斜を有して延びるタンクレール２２、タンクレール２２の右端部に繋がり下方に延びる整列待機通路２３、整列待機通路２３の下端部に繋がって設けられた球払出装置５０、球払出装置５０の下方に設けられて球払出装置５０から払い出された遊技球を球皿ユニット６の球皿に導く球払出通路２５（図４を参照）などの賞球機構が設けられるとともに、裏面各部に電源基板アッセンブリ（図示せず）や主基板アッセンブリ（図示せず）等の各種制御基板アッセンブリが取り付けられている。
【００２３】
パチンコ機ＰＭは、前枠２、ガラス扉５および球皿ユニット６がともに閉止され施錠された状態で遊技に供され、球皿ユニット６に遊技球を貯留させて操作ハンドル８を回動操作することにより遊技が開始される。操作ハンドル８が回動操作されると、球皿ユニット６に貯留された遊技球が打球発射装置により１球ずつ遊技盤１０の遊技領域に打ち出され、以降パチンコゲームが展開される。
【００２４】
以上のように概要構成されるパチンコ機ＰＭにあって、裏セット盤２０の裏面右側縁部には、整列待機通路２３の下端部に繋がって本発明に係る球払出装置５０が、裏セット盤２０の裏面に設けられた二つのレバーＬ，Ｌを利用して着脱可能にセット保持されており（図４を参照）、以下においては、この球払出装置５０について説明する。
【００２５】
球払出装置５０は、図５および図６に示すように、縦長方形箱状のハウジング部材５１と、球送り部材６０と、球送り部材６０を回転駆動するための球払出モータ６５とを有して構成され、ハウジング部材５１の内部に球送り部材６０および球払出モータ６５が設けられている。
【００２６】
ハウジング部材５１は、上面に整列待機通路２３の下端部と接続されて整列待機通路２３内の遊技球を受け入れる受容口５２が形成され、下面に球払出通路２５の上端部と接続されて球払出通路２５へ遊技球を払い出す払出口５３が形成されるとともに、内部には受容口５２と払出口５３を繋ぐ案内通路５５が形成されている。また、ハウジング部材５１は、球送り部材６０の周部が案内通路５５内に突出した状態で球送り部材６０が案内通路５５に沿った方向に回転可能なように、球送り部材６０の回転軸を支持している。
【００２７】
案内通路５５は、図７に示すように、球送り部材６０よりも上流側（受容口５２側）の受容通路５６と、球送り部材６０よりも下流側（払出口５３側）の払出通路５７とによって構成される。受容通路５６は、上部屈曲部５６ａおよび下部屈曲部５６ｂを有して略Ｓ字状に形成されており、受容口５２から受容された遊技球を上部屈曲部５６ａを通った後に下部屈曲部５６ｂを通って球送り部材６０に導入（供給）させるように構成されている。ここで、受容通路５６は、下部屈曲部５６ｂを通って球送り部材６０に導入される遊技球が球送り部材６０に対して真上（鉛直上方）からではなく斜め上方から導入されるように、すなわち、球送り部材６０への遊技球の導入方向が球送り部材６０の回転接線方向に沿うように鉛直方向に対して斜めに設定（形成）されている。
【００２８】
払出通路５７は、受容通路５６（下部屈曲部５６ｂ）の下端部から屈曲して下方に延びるように形成されており、中間部に払出通路５７を流下する遊技球を検出する球検出センサ７５が設けられている。案内通路５５の球送り部材６０側（図７における右側）の通路壁には、球送り部材６０の周部を案内通路５５内に突出させた状態で配置させるため、球送り部材６０が設けられる位置において切欠き部５７ａが形成されており、その切欠き部５７ａの一部（下流側の略半分）に相当する壁面形状を有する案内リブ５８が、払出通路５７側の通路壁の上端部から切欠き部５７ａの一部を塞ぐ（覆う）ように延びて設けられている。なお、案内リブ５８の壁面高さは、球送り部材６０の回転を妨げないように、案内通路５５の通路壁の壁面高さよりも低くなっている（図８も参照）。
【００２９】
受容通路５６の中間部には球抜き機構７０が設けられている。球抜き機構７０は、受容通路５６の下部屈曲部５６ｂにおける球受け部材６０側（図７における右側）の通路壁の上部において形成された切欠き部５６ｃに相当する壁面形状を有し、ハウジング部材５１に揺動可能に支持されて切欠き部５６ｃを開閉可能な通路壁部材７１と、ハウジング部材５１に上下方向にスライド移動可能に支持された操作部材７２と、ハウジング部材５１の下面に形成された球抜き口５４と切欠き部５６ｃを繋ぐようにハウジング部材５１の内部に形成された球抜き通路５９とを有して構成される。
【００３０】
操作部材７２は、ハウジング部材５１に形成された開口部を介して外方からの操作により上下方向にスライド移動可能であり、操作部材７２を下方位置にスライド移動させたときには、操作部材７２の下部が通路壁部材７１に係合して通路壁部材７１が切欠き部５６ｃを閉鎖する閉鎖位置に通路壁部材７１を保持させるようになっている。一方、操作部材７２を上方位置にスライド移動させたときには、操作部材７２と通路壁部材７１の係合が解除され、通路壁部材７１が受容通路５６内の遊技球の圧力により揺動されて切欠き部５６ｃを開放する開放位置に通路壁部材７１を変移させるようになっている。
【００３１】
なお、ハウジング部材５１に形成された球抜き通路５９および球抜き口５４は、球払出装置５０が裏セット盤２０にセット保持された状態において、案内通路５５および払出口５３よりも前方側に位置して形成されている。すなわち、球払出装置５０では、裏セット盤２０にセット保持された状態において、案内通路５５および払出口５３が前方側に設けられ、球抜き通路５９および球抜き口５４が後方側に設けられている。
【００３２】
球送り部材６０は、ハウジング部材５１に案内通路５５に沿った方向に回転可能に支持された回転軸６１と、回転軸６１の外周面に９０度間隔で軸方向に延びて設けられた四つの受容壁６２とを有して構成され、回転軸６１の外周面において各々の受容壁６２により遊技球を受容可能な受容部６３が四カ所形成されている。上述の案内通路５５内に突出する球送り部材６０の周部とはこの受容部６３のことであり、球送り部材６０は、回転軸６１まわりに回転されたときに四つの受容部６３が順に案内通路５５内を通過するようになっている。
【００３３】
球払出モータ６５は、球送り部材６０を回転駆動するための電気モータ（例えばステッピングモータ）であり、この球払出モータ６５の回転駆動力は歯車機構８０によって球送り部材６０に伝達される。歯車機構８０は、図６に示すように、球払出モータ６５の出力軸に設けられた第１歯車８１と、球送り部材６０の回転軸６１に設けられ第１歯車８１と噛合された第２歯車８２とを有し、球払出モータ６５の回転駆動力を第１歯車８１および第２歯車８２を介して球送り部材６０に伝達するように構成されている。
【００３４】
以上のように構成された球払出装置５０による遊技球の払出作動は、所定条件のもと球払出制御基板（図示せず）から出力される指令信号に基づいて行われる。以下においては、この払出作動について説明する。まず、整列待機通路２３から受容口５２を介して球払出装置５０内に供給された遊技球は、図７に示すように、案内通路５５の受容通路５６を通って球送り部材６０に達し、球送り部材６０の受容部６３内に受容された状態で球送り部材６０により払出通路５７へ流下しないように規制された待機状態となる。このとき、受容通路５６の上部屈曲部５６ａによって、上流側に位置する遊技球の自重による圧力が下流側で加重されて球送り部材６０に作用する圧力が過大な圧力にならないように当該圧力を低減させている。また、下部屈曲部５６ｂによって、球送り部材６０への遊技球の導入方向が球送り部材６０の回転接線方向に沿うように鉛直方向に対して斜めに設定されている。
【００３５】
なお、整列待機通路２３は、上述したように裏セット盤２０の裏面右側縁部に上下に延びて設けられており、図９に示すように、整列待機通路２３の左右の通路壁の内面に、複数の凸状の突起部２３ａが所定間隔で形成されるとともに、左右の通路壁において突起部２３ａの配置が前記所定間隔の半分程度オフセットして形成されている。この複数の突起部２３ａも、上流側に位置する遊技球の自重による圧力が下流側で加重されて過大な圧力とならないように当該圧力を低減させるために設けられている。
【００３６】
上記のように、受容通路５６を通って球送り部材６０に導入された遊技球が受容部６３内に受容された待機状態で、遊技盤１０の入賞具（図示せず）に遊技球が入賞すると、球払出制御基板（図示せず）は、球払出モータ６５を入賞条件に応じた回転角度（払い出される賞球数に相当する回転角度）分回転させる指令信号を出力し、球払出装置５０は、その指令信号に基づいて球払出モータ６５を回転作動させて歯車機構８０を介して球送り部材６０を図７における反時計回りに回転させる。
【００３７】
球送り部材６０が回転すると、受容部６３に受容されていた遊技球が受容壁６２によって下流側へ押圧されて払出通路５７へ送り出されるとともに、次の受容部６３に受容通路５６から導入される遊技球が受容される。払出通路５７へ送り出された遊技球は、払出通路５７を流下して払出口５３から球払出通路２５へ払い出され、球払出通路２５を流下して球皿ユニット６の上球皿もしくは下球皿に払い出される（図１０を参照）。
【００３８】
このとき、球送り部材６０の回転に伴って払出通路５７へ送り出された遊技球は、球送り部材６０の回転速度に応じた速度で払出通路５７へ送り出される。そのため、球送り部材６０の回転速度が大きい場合、送り出された遊技球が、払出通路５７の球送り部材６０とは反対側（図７に示す側）の通路壁（例えば、図７に示すＡ地点近傍）で球送り部材６０側へ跳ね返えることで、いわゆる球ガミなどの不具合が生じるという問題があったが、球払出装置５０では、案内リブ５８を設けることで、このような遊技球の跳ね返り（遊技球の暴れ）を防止して、遊技球を円滑に流下させるようになっている。
【００３９】
以降同様にして、受容通路５６に待機保持された遊技球は、球送り部材６０の回転に伴って１個ずつ球送り部材６０の受容部６３に受容され、この受容部６３の回転移動に伴って払出通路５７へ送り出され、払出通路５７を流下して払出口５７から球払出通路２５を介して球皿ユニット６の球皿に払い出される。そして、球送り部材６０は、球払出モータ６５への指令信号に応じた回転角度分回転され、これにより入賞条件に応じた数量の遊技球が賞球として球皿ユニット６の球皿に払い出される。
【００４０】
なお、いわゆるＣＲ機において球貸し操作が行われ、その操作信号がパチンコ機ＰＭに入力されたときにも、上述した遊技盤１０の入賞具に遊技球が入賞したときと同様にして、球払出装置５０による遊技球の払出作動が行われる。
【００４１】
また、指令信号に含まれる球払出モータ６５の回転角度は、払い出される遊技球の数量に対応した回転角度であるとともに、球払出モータ６５の回転作動を停止したときに、いずれかの受容部６３が受容通路５６から導入される遊技球を受容して遊技球の流下を規制するように設定されている。
【００４２】
また、払出通路５７を流下する遊技球は、球検出センサ７５によって検出されるようになっており、球検出センサ７５の検出信号は球払出制御基板（図示せず）に出力され、球払出制御基板は、その検出信号から払い出された遊技球の実数をカウントし、その計数値に基づいて球払出装置５０の作動をフィードバック制御するようになっている。これにより、正確な数量の遊技球が賞球もしくは貸し球として払い出され、公正な遊技を供することができる。
【００４３】
また、図７に示すように遊技球が受容通路５６において待機保持された状態で、球抜き機構７０の操作部材７２が操作されて上方位置にスライド移動されると、図１１に示すように、通路壁部材７１は上流側に位置する遊技球の圧力によって図１１における反時計回りに揺動され、受容通路５６の切欠き部５６ｃを開放する位置に変移する。そして、切欠き部５６ｃを通過した遊技球は、球抜き通路５９を流下して球抜き口５４から裏セット盤２０に設けられた排出通路２６へ排出され、排出通路２６を流下して遊技島の回収装置に排出される（図９を参照）。
【００４４】
ここで、球払出装置５０では、裏セット盤２０にセット保持された状態において、案内通路５５および払出口５３が前方側に設けられるとともに、球抜き通路５９および球抜き口５４が後方側に設けられている。そのため、例えば、球抜き機構７０の操作部材７２を上方位置にスライド移動させ、さらに球払出装置５０の裏セット盤２０へのセット保持状態に不正な操作を加えたとしても、切欠き部５６ｃを通過して球抜き通路５９および球抜き口５４から排出される遊技球は、パチンコ機ＰＭの後方に排出されるだけで、球払出通路２５を通って球皿ユニット６の球皿へ排出されることはなく、このような不正操作により遊技球が不正に取得されることを防止できる。
【００４５】
以上のように、本実施形態に係る球払出装置５０によれば、案内通路５５が、受容通路５６の下部屈曲部５６ｂにおいて、球送り部材６０への遊技球の導入方向が球送り部材６０の回転接線方向に沿うように鉛直方向に対して斜めに形成されているので、球送り部材６０等に作用する遊技球の自重に基づく圧力が低減される。このため、最も大きな回転トルクが必要とされる回転起動時の起動トルクを減少させることができ、これにより、従来よりも小型のモータを用いることができ、装置の小型化が可能になる。
【００４６】
また、案内通路５５が、受容通路５６の下部屈曲部５６ｂにおいて、球送り部材６０への遊技球の導入方向が球送り部材６０の回転接線方向に沿うように鉛直方向に対して斜めに形成されているので、従来のように遊技球が球送り部材に略真上から導入される構成よりも、遊技球を球送り部材６０へ円滑に導入させることができる。このため、球送り部材６０を高速で回転させて短時間での遊技球の払い出しを行う場合でも、球送り部材６０の高速回転に対応して遊技球を球送り部材６０へ導入させることができ、これにより遊技球を円滑に払い出すことができる。
【００４７】
なお、上述の実施形態において、球払出装置５０を備えた弾球遊技機としてパチンコ機ＰＭを例に説明しているが、これに限られるものではなく、例えば、雀球遊技機やアレンジボール機等の球払出装置を備えた弾球遊技機であれば、本発明を適用可能である。
【符号の説明】
【００４８】
ＰＭ  パチンコ機（弾球遊技機）
５０  球払出装置
５１  ハウジング部材
５２  受容口
５３  払出口
５５  案内通路
５８  案内リブ
５９  球抜き通路
６０  球送り部材
６５  球払出モータ
７０  球抜き機構
７１  通路壁部材（球抜き部材）
７２  操作部材
【図１】
2012011053.tif 000003
【図２】
2012011053.tif 000004
【図３】
2012011053.tif 000005
【図５】
2012011053.tif 000006
【図６】
2012011053.tif 000007
【図７】
2012011053.tif 000008
【図８】
2012011053.tif 000009
【図９】
2012011053.tif 000010
【図１０】
2012011053.tif 000011
【図１１】
2012011053.tif 000012
【図４】
2012011053.tif 000013